(57)【特許請求の範囲】
【請求項１】
非通話機能を具備する電話端末において、
前記非通話機能の動作状態に応じて着信動作を制御する着信動作制御部と、着信に応答する自動応答制御部と、前記自動応答制御部を起動すべき前記非通話機能を登録する自動応答起動機能登録手段とを有し、
前記非通話機能が動作している間に着信があって、予め定められた特定の操作が為された場合に、当該動作中の非通話機能が前記自動応答起動機能登録手段に登録された機能か否かに係らず、前記自動応答制御部を起動し、
前記非通話機能が動作している間に着信があって、前記予め定められた特定の操作が為されない場合に、前記着信動作制御部は、自端末の状態が前記自動応答起動機能登録手段に登録された機能が動作している状態であるか否かを判定し、前記登録された機能が動作している状態であると判定したならば、前記自動応答制御部を起動し、
前記自動応答制御部は、当該着信に応答すると共に、予め登録されている音声メッセージを送信するおよび／または相手からの音声を録音することを特徴とする電話端末。
【請求項２】
請求項１に記載の電話端末であって、
前記自動応答起動機能登録手段は、前記自動応答制御部を起動すべき非通話機能と関連付けて、前記音声メッセージを自動的に送信するか否かおよびまたは相手からの音声を自動的に録音するか否かを登録することを特徴とする電話端末。
【請求項３】
請求項１または請求項２に記載の電話端末であって、
前記非通話機能を停止することなく、前記音声メッセージを自動送信したこと、およびまたは相手からの音声を録音したことを表示する手段をさらに有することを特徴とする電話端末。
【発明の詳細な説明】
【技術分野】
【０００１】
本発明は電話端末に係り、特にメール通信機能、インターネットアクセス通信機能、ゲーム機能、ボイスメモ録音機能、カメラ機能等の非通話機能が動作する電話端末に関する。
【背景技術】
【０００２】
非通話機能が動作する電話端末において、非通話機能に係る端末操作中に着信が入る場合がある。この着信に応答すると、それまでの非通話機能に係る端末操作がキャンセルされるのが通例である。
【０００３】
これを改善する技術として、特許文献１には、非通話機能の動作中に着信による割り込みを禁止する技術を開示している。
【０００４】
【特許文献１】特開２００２−２１８０２１号公報
【発明の開示】
【発明が解決しようとする課題】
【０００５】
しかしながら、特許文献１の技術では、着信を無視することとなるため、相手に不快感をあたえる虞や、この着信が緊急の連絡のものであれば相手に迷惑を掛ける虞がある。
そこで、本発明は、非通話機能による端末操作動作を継続したまま、電話端末が着信に応答し、非通話機能の端末操作をキャンセルさせない電話端末を提供する。
【課題を解決するための手段】
【０００６】
上述した課題は、非通話機能と、非通話機能の動作状態に応じて着信動作を制御する着信動作制御部と、着信に応答する自動応答制御部と、自動応答制御部を起動すべき非通話機能を登録する自動応答起動機能登録手段とを有し、非通話機能が動作している間に着信があって、予め定められた特定の操作が為された場合に、当該動作中の非通話機能が自動応答起動機能登録手段に登録された機能か否かに係らず、自動応答制御部を起動し、非通話機能が動作している間に着信があって、予め定められた特定の操作が為されない場合に、着信動作制御部は、自端末の状態が自動応答起動機能登録手段に登録された機能が動作している状態であるか否かを判定し、登録された機能が動作している状態であると判定したならば、自動応答制御部を起動し、自動応答制御部は、当該着信に応答すると共に、予め登録されている音声メッセージを送信するおよび／または相手からの音声を録音する電話端末により、達成できる。
【発明の効果】
【０００７】
本発明によれば、発呼者に不快感を与えることなく非通話機能の端末操作を継続できる。
【発明を実施するための最良の形態】
【０００８】
以下、本発明の実施の形態について、実施例を用い図面を参照して説明する。なお、実質同一部位には同じ参照番号を振り、説明は繰り返さない。ここで、図１は電話端末の機能ブロック図である。図２は電話端末の着信動作を説明するフローチャートである。図３は特定操作を受け付ける電話端末の着信動作を説明するフローチャートである。
【０００９】
図１を参照して、非通話機能が動作中の着信に応答する電話端末の構成を説明する。図１において、電話端末１は、アンテナ２と、無線通信処理部３と、音声処理部４と、受話器５と、送話器６と、スピーカ７と、制御部８と、記憶部９と、キー入力部１０と、表示部１１と、電源部１２とから構成される。
【００１０】
図示しない無線基地局から送られた無線通信信号は、アンテナ２を介して無線通信処理部３で受信される。受信された無線通信信号は、制御部８に入力され解析される。また、無線通信処理部３で受信された音声信号は、音声処理部４でアナログ音声信号に変換され、受話器５から出力される。
【００１１】
キー入力部１０で入力された情報は、制御部８に入力される。制御部８は、入力された情報を解析し、無線基地局に送信すべき情報である場合には、無線通信処理部３、アンテナ２を介して無線基地局に送信する。また、送話器６に入力された音声は、音声処理部４でＡ/Ｄ変換される。無線通信処理部３は、デジタル変換された音声信号を、アンテナ２を介して無線基地局に送信する。
【００１２】
制御部８は、着信動作制御部８１と、自動応答制御部８２と、音声メッセージ送信部８３と、音声録音部８４とから構成される。制御部８は、電話装置内の各部からの入力情報に対する解析や判断および制御、記憶部９に対する情報の入出力を実行する。着信動作制御部８１は、非通話機能の動作状態に応じて着信動作を制御する。自動応答制御部８２は、着信に自動応答する。自動応答制御部８２は、音声メッセージ送信部８３を制御して、予め登録されている音声メッセージを送信する。自動応答制御部８２は、音声録音部８４を制御して、相手からの音声を録音する。
【００１３】
記憶部９は、音声メッセージ記憶部９１と、自動応答起動登録部９２と、着未起動相手電話番号登録部９３と、機能記憶部９４とから構成される。音声メッセージ記憶部９１は、音声案内用の音声メッセージおよび発信相手の音声を記憶する。自動応答起動登録部９２は、非通話機能が動作時の着信に対する動作を記憶する。着信有効相手電話番号登録部９３は、非通話機能が動作中に着信させたい相手の発信者電話番号を記憶する。機能記憶部９４は、通常の一時記憶部としての働き、さらに、各種機能の有無などを記憶する。
【００１４】
キー入力部１０は、ダイヤルキーと機能キーとで構成され、各種情報入力手段である。表示部１１は、発信時のダイヤル表示、着信時の発信者番号表示および着信時のランプ表示、各種情報入力時の表示等を行う。スピーカ７は、着信音の出力および拡声受話に使用する。電源部１２は、各回路に電力を供給する。
【００１５】
図２および表１ならびに表２を参照して、電話端末の着信動作を説明する。ここで、表１は着信有効発信電話番号記録表である。また、表２は現在の非通話動作に対応する着信動作を記録する着信動作記録表であり、表１、表２は、自動応答起動登録部９２に記憶されている。図２は電話端末の着信動作フローチャートである。
【００１６】
表１において、着信有効発信電話番号記録表は、非通話機能動作中にも着信を最優先させる発信元電話番号の一覧であり、ここでは、Ｎｏ．１からＮｏ．４までの４件の発信者番号が登録されている。
【００１７】
表１  着信有効発信電話番号記録表
−−−−−−−−−−−−−−−−−−
Ｎｏ.      発信者番号
−−−−−−−−−−−−−−−−−−
１    ０３−ｘｘｘｘ−ｙｙｙｙ
２    ０３−ａａａａ−ｂｂｂｂ
３    ０４５−ｃｃｃ−ｄｄｄｄ
４    ０５２−ｆｆｆ−ｈｈｈｈ
５              −
６              −
７              −
−−−−−−−−−−−−−−−−−−
表２において、起動動作記録表は、現在動作中の非通話動作と、非通話動作に対応付けられた起動動作とをまとめた表である。ここでは、起動動作には、音声メッセージ送信、音声メッセージ送信＋自動録音、自動録音の３種類である。しかし、これらに限らず、例えばメール表示中には、通常に着信させてもよい。
【００１８】
表２ 起動動作記録表
−−−−−−−−−−−−−−−−−−−−−−−−−−−−−−−
Ｎｏ.       現在動作                   起動動作
−−−−−−−−−−−−−−−−−−−−−−−−−−−−−−−
１     メール表示中         音声メッセージ送信
２     メール作成中         音声メッセージ送信＋自動録音
３     インターネット中     自動録音
４     ゲーム中             音声メッセージ送信＋自動録音
５     ボイスメモ録音中     音声メッセージ送信
６     カメラ起動中         音声メッセージ送信＋自動録音
−−−−−−−−−−−−−−−−−−−−−−−−−−−−−−−
図２において、電話端末１は、着信を待ち受ける（Ｓ２００）。ステップ２００で、着信があったとき（ＹＥＳ）、電話端末１は、非通話機能が動作中か判定する（Ｓ２０１）。ステップ２０１でＮＯのとき、電話端末１は、着信動作を実行して（Ｓ２２２）、終了する。
【００１９】
ステップ２０１でＹＥＳのとき、電話端末１は、着信表示する（Ｓ２０２）。電話端末１は、一定時間の経過を待ち（Ｓ２０３）、一定時間経過した（Ｓ２０３：ＹＥＳ）とき、電話端末１は、発信者番号が表１の着信有効発信電話番号のいずれかに一致するか判定する（Ｓ２０４）。ステップ２０４でＹＥＳのとき、電話端末１は、ステップＳ２２２に遷移する。ステップ２０４でＮＯのとき、電話端末１は、現在の非通話動作が表２の現在動作にあり、着信動作が指定されているか判定する（Ｓ２０５）。ステップ２０５でＮＯのとき、電話端末１は、ステップ２２２に遷移する。
【００２０】
ステップ２０５でＹＥＳのとき、電話端末１は、着信動作を判定する（図２Ｂ：Ｓ２０６）。ステップ２０６で音声メッセージ送信のとき、電話端末１は、着信に自動応答し（Ｓ２０７）、音声メッセージを送信し（Ｓ２０８）、音声メッセージを送信中であることを表示して（Ｓ２０９）、終了する。
【００２１】
ステップ２０６で自動録音のとき、電話端末１は、着信に自動応答し（Ｓ２１０）、自動録音機能を実行し（Ｓ２１１）、相手音声録音の完了を待って（Ｓ２１２：ＹＥＳ）、録音があることを表示して（Ｓ２１３）、終了する。
【００２２】
ステップ２０６で音声メッセージ送信＋自動録音のとき、電話端末１は、着信に自動応答し（Ｓ２１４）、音声メッセージを送信し（Ｓ２１５）、音声メッセージの送信中であることを表示して（Ｓ２１６）、自動録音機能を実行し（Ｓ２１７）、相手音声録音の完了を待って（Ｓ２１８：ＹＥＳ）、録音があることを表示して（Ｓ２１９）、終了する。
なお、着信表示、音声メッセージ送信中表示、録音表示等は、ＬＥＤ点灯や点滅および／またはＬＣＤ表示にて表示する。
【００２３】
図３および表３を参照して、着信に対して使用者の操作を伴う起動動作を説明する。ここで、表３とは特定操作−起動動作対応表であり、着信有効電話番号登録部９３に記憶される。図３は電話端末の着信動作フローチャートである。
【００２４】
表３において、特定操作−起動動作対応表は、特定操作の入力を受け付けたときの、電話端末の起動動作を定義する。Ｎｏ.１の特定操作である「＊＋ＸＸ」は、＊キーを押しながら／または押した後にテンキーのいずれか一つ（Ｘキー）を２度押す操作である。このとき、電話端末は、着信に通常応用する。音声メッセージ送信、自動録音、音声メッセージ送信＋自動録音等は、着信に応答した後、それぞれ動作する。
【００２５】
表３  特定操作−起動動作対応表
−−−−−−−−−−−−−−−−−−−−−−−−−−
Ｎｏ.   特定操作          起動動作
−−−−−−−−−−−−−−−−−−−−−−−−−−
１    ＊＋ＸＸ    着信に応答
２    ＊＋ＹＹ    音声メッセージ送信
３    ＃＋ＸＸ    自動録音
４    ＃＋ＹＹ    音声メッセージ送信＋自動録音
−−−−−−−−−−−−−−−−−−−−−−−−−−
図３において、電話端末１は、着信を待ち受ける（Ｓ３００）。着信があったとき（Ｓ３００：ＹＥＳ）、電話端末１は、非通話機能が動作中か判定する（Ｓ３０１）。ステップ３０１で非通話機能が動作していないとき（ＮＯ）、電話端末１は、着信に通常応答して（Ｓ３０６）、終了する。
【００２６】
ステップ３０１で非通話機能が動作中のとき（ＹＥＳ）、電話端末１は、着信が入ったことをＬＥＤ点灯／点滅およびまたはＬＣＤ表示にて表示する（Ｓ３０２）。電話端末１は、キー入力部１１の入力を監視し、特定の操作があるか判定する（Ｓ３０３）。ステップ３０３がＮＯのとき、電話端末１は、一定時間経過したか判定する（Ｓ３０４）。ステップ３０４でＮＯのとき、電話端末１は、ステップ３０３に戻る。ステップ３０４でＹＥＳのとき、電話端末１は、図２Ａのステップ２０４に遷移する。
【００２７】
ステップ３０３でＹＥＳのとき、電話端末１は、特定操作を判別する（Ｓ３０５）。ステップ３０５で通常応答のとき、電話端末１は、ステップ３０６に遷移する。ステップ３０５で音声メッセージ送信のとき、電話端末１は、非通話機能を停止せずに着信に自動応答する（Ｓ３０７）。電話端末１は、応答できない旨の音声メッセージを送信し（Ｓ３０８）、音声メッセージ送信中であることを表示し（Ｓ３０９）、終了する。
【００２８】
ステップ３０５で自動録音のとき、電話端末１は、非通話機能を停止せずに着信に自動応答する（Ｓ３１０）。電話端末１は、自動録音を開始する（Ｓ３１１）。電話端末１は、音声録音が完了したか判定し（Ｓ３１２）、ＹＥＳのとき、音声が録音されたことを表示し（Ｓ３１３）、終了する。
【００２９】
ステップ３０５で音声メッセージ送信＋自動録音のとき、電話端末１は、非通話機能を停止せずに着信に自動応答する（Ｓ３１４）。電話端末１は、自動録音する旨の音声メッセージを送信し（Ｓ３１５）、音声メッセージ送信中であることを表示する（Ｓ３１６）。音声メッセージ送信が終了すると、電話端末１は、自動録音を開始する（Ｓ３１７）。電話端末１は、音声録音が完了したか判定し（Ｓ３１８）、ＹＥＳのとき、音声が録音されたことを表示し（Ｓ３１９）、終了する。
【００３０】
本実施例に拠れば、発呼者に不快感を与えることなく操作中の非通話機能に応じて着呼に応答でき、しかも着呼者は非通話機能の端末操作を継続できる。さらに、優先度の高い発呼者からの着呼を優先することができる。
【００３１】
なお、本明細書において、非通話機能とは、メール通信、インターネットアクセス、ゲーム、録音、録画、カメラ、タイマー、テレビ放送視聴、音楽聴取等の通話を除く機能であり、これらに限られない。
【図面の簡単な説明】
【００３２】
【図１】電話端末の機能ブロック図である。
【図２Ａ】電話端末の着信動作を説明するフローチャートである。
【図２Ｂ】電話端末の着信動作を説明するフローチャートである。
【図３】電話端末の着信動作を説明するフローチャートである。
【符号の説明】
【００３３】
１…電話端末、２…アンテナ、３…無線通信処理部、４…音声処理部、５…受話器、６…送話器、７…スピーカ、８…制御部、８１…着信動作制御部、８２…自動応答制御部、８３…音声メッセージ送信部、８４…音声録音部、９…記憶部、９１…音声メッセージ記憶部、９２…自動応答起動登録部、９３…着信有効相手電話番号登録部、９４…機能記憶部、１０…キー入力部、１１…表示部、１２…電源部。
【図１】
0005092900.tif 000002
【図２Ａ】
0005092900.tif 000003
【図２Ｂ】
0005092900.tif 000004
【図３】
0005092900.tif 000005